(57)【要約】【課題】記憶されている文字列情報のうち所望の文字列情報を効率よく検索させる。【解決手段】画像形成装置に、文字列情報を複数記憶する記憶部と、ユーザーを識別する識別情報と対応付けて１又は複数の検索用のキーワードを記憶するユーザー情報記憶部と、識別情報を取得する識別情報取得部と、文字列情報に対する検索指示を受け付ける検索指示受付部と、検索指示が受け付けられたとき、識別情報取得部によって取得された識別情報と対応付けてユーザー情報記憶部に記憶されている１又は複数のキーワードを選択可能に表示するキーワード表示部と、表示された１又は複数のキーワードのうち、ユーザーによって選択されたキーワードを選択キーワードとして取得する選択キーワード取得部と、記憶部に記憶された複数の文字列情報のうち、選択キーワードを含む文字列情報を検索する検索実行部とを備える。【選択図】図３
2013218634.tif 000002
【特許請求の範囲】
【請求項１】
文字列情報を複数記憶する記憶部と、
ユーザーを識別する識別情報と対応付けて、１又は複数の検索用のキーワードを記憶するユーザー情報記憶部と、
前記識別情報を取得する識別情報取得部と、
前記文字列情報に対する検索指示を受け付ける検索指示受付部と、
前記検索指示受付部によって、前記検索指示が受け付けられたとき、前記識別情報取得部によって取得された識別情報と対応付けて前記ユーザー情報記憶部に記憶されている１又は複数のキーワードを選択可能に表示するキーワード表示部と、
前記キーワード表示部によって表示された１又は複数のキーワードのうち、ユーザーによって選択されたキーワードを選択キーワードとして取得する選択キーワード取得部と、
前記記憶部に記憶された複数の文字列情報のうち、前記選択キーワードを含む文字列情報を検索する検索実行部と
を備えた画像形成装置。
【請求項２】
前記記憶部は、複数の種類の文字列情報に対応して複数設けられ、
前記検索実行部は、前記選択キーワード取得部により前記選択キーワードが取得されたとき、前記複数の記憶部を検索対象とし、前記複数の記憶部にそれぞれ記憶された複数の文字列情報のうち、前記選択キーワードを含む文字列情報を検索する請求項１に記載の画像形成装置。
【請求項３】
前記複数の記憶部のうち少なくとも一つは、前記画像形成装置から外部に向けて出力される出力データの送信先に関する情報を記憶するアドレス帳であり、前記アドレス帳は、前記送信先を識別するための送信先名称を前記文字列情報として記憶するとともに、前記送信先名称に対応付けて、前記送信先のメールアドレス及び前記送信先のファクシミリ番号のうち少なくとも一つを前記文字列情報として記憶する請求項２に記載の画像形成装置。
【請求項４】
前記複数の記憶部のうち少なくとも一つは、前記画像形成装置に入出力されるデータを電子ファイル化した文書ファイルの記憶領域である文書ボックスに関する情報を記憶する文書ボックス情報記憶部であり、前記文書ボックス情報記憶部は、前記文書ボックスを識別するための文書ボックス名称を前記文字列情報として記憶するとともに、前記文書ボックス名称に対応付けて、前記文書ボック名称で識別される前記文書ボックスに記憶されている前記文書ファイルを識別するための文書ファイル名称を前記文字列情報として記憶する請求項２または３に記載の画像形成装置。
【請求項５】
前記複数の記憶部のうち少なくとも一つは、前記画像形成装置を利用する部門に関する情報を記憶する部門情報記憶部であり、前記部門情報記憶部は、前記部門を識別するための部門名称を前記文字列として記憶する請求項２から４の何れか一項に記載の画像形成装置。
【発明の詳細な説明】
【技術分野】
【０００１】
本発明は、記憶されている文字列情報を検索可能な画像形成装置に関する。
【背景技術】
【０００２】
従来から、例えば下記特許文献１に記載のように、印刷や送信等の出力のジョブを実行させるために、複数のプリンタに向けてデータを送信した送信クライアントの画面において、複数のプリンタのそれぞれにおけるジョブの実行状況を１つのリストで表示する技術が知られている。
【０００３】
また、ファクシミリ送信機能やメール送信機能等の多種の機能を備えた複合機等の画像形成装置は、一般的に、ユーザーが頻繁に入力するファクシミリの送信先名称やメールアドレス等の文字列情報を情報の種類毎に記憶可能に構成されている。また、このような画像形成装置には、記憶された文字列情報を利用するために、例えば、送信先名称を検索する機能やメールアドレスを検索する機能等、文字列情報の種類毎に文字列情報を検索する機能が備えられている。
【先行技術文献】
【特許文献】
【０００４】
【特許文献１】特開２００３−３１６５４５号公報
【発明の概要】
【発明が解決しようとする課題】
【０００５】
しかしながら、上記のように文字列情報を記憶及び検索可能な画像形成装置において、ユーザーが、記憶されている文字列情報を再利用しようとした場合、上記特許文献１に記載の技術を適用することによって複数の記憶部に記憶されている文字列情報を１つのリストに表示し、文字列情報の見易さを向上することは可能であるが、リストに表示された文字列情報の中から所望の文字列情報を探し出す手間が必要であった。また、文字列情報の種類毎に備えられた複数の検索機能をそれぞれ利用し、所望の文字列情報を検索する手間が必要であった。
【０００６】
本発明は、このような事情に鑑みてなされたものであり、記憶されている文字列情報のうち、ユーザーが所望する文字列情報を効率よく検索することができる画像形成装置を提供することを目的とする。
【課題を解決するための手段】
【０００７】
本発明に係る画像形成装置は、文字列情報を複数記憶する記憶部と、ユーザーを識別する識別情報と対応付けて、１又は複数の検索用のキーワードを記憶するユーザー情報記憶部と、前記識別情報を取得する識別情報取得部と、前記文字列情報に対する検索指示を受け付ける検索指示受付部と、前記検索指示受付部によって、前記検索指示が受け付けられたとき、前記識別情報取得部によって取得された識別情報と対応付けて前記ユーザー情報記憶部に記憶されている１又は複数のキーワードを選択可能に表示するキーワード表示部と、前記キーワード表示部によって表示された１又は複数のキーワードのうち、ユーザーによって選択されたキーワードを選択キーワードとして取得する選択キーワード取得部と、前記記憶部に記憶された複数の文字列情報のうち、前記選択キーワードを含む文字列情報を検索する検索実行部とを備える。
【０００８】
この構成によれば、ユーザーは、ユーザー情報記憶部に記憶されている、当該ユーザーの識別情報に対応付けられた１又は複数の検索キーワードを用いて、記憶部に記憶された文字列情報を検索することができる。このため、ユーザーが検索する場合に頻繁に利用する検索キーワードには、そのユーザー独自の何かしらの法則があると考えられるので、その法則に適した１又は複数の検索キーワードを識別情報に対応付けて記憶しておくことによって、ユーザーは当該記憶しておいた検索キーワードを用いて、効率よく所望の文字列情報を検索することができる。
【０００９】
また、前記記憶部は、複数の種類の文字列情報に対応して複数設けられ、前記検索実行部は、前記選択キーワード取得部により前記選択キーワードが取得されたとき、前記複数の記憶部を検索対象とし、前記複数の記憶部にそれぞれ記憶された複数の文字列情報のうち、前記選択キーワードを含む文字列情報を検索することが好ましい。
【００１０】
この構成によれば、ユーザーは、検索指示受付部によって検索指示が受け付けられた場合に、キーワード表示部によって表示された１又は複数のキーワードから所望のキーワードを選択するだけで、複数の記憶部を検索対象として、複数の記憶部にそれぞれ記憶された複数の文字列情報のうち、選択したキーワードを含む文字列情報を検索することができる。このため、各記憶部に記憶されている文字列情報をそれぞれ個別に検索するのにかかる手間が軽減される。
【００１１】
また、前記複数の記憶部のうち少なくとも一つは、前記画像形成装置から外部に向けて出力される出力データの送信先に関する情報を記憶するアドレス帳であり、前記アドレス帳は、前記送信先を識別するための送信先名称を前記文字列情報として記憶するとともに、前記送信先名称に対応付けて、前記送信先のメールアドレス及び前記送信先のファクシミリ番号のうち少なくとも一つを前記文字列情報として記憶することが好ましい。
【００１２】
この構成によれば、ユーザーは、検索指示受付部によって検索指示が受け付けられた場合に、キーワード表示部によって表示された１又は複数のキーワードから、所望のキーワードを選択するだけで、選択キーワードを含む送信先名称並びにメールアドレス及びファクシミリ番号のうちの少なくとも一つを検索することができるとともに、当該選択キーワードを含む送信先名称並びにメールアドレス及びファクシミリ番号のうちの少なくとも一つとは異なる種類の文字列情報も合わせて検索することができる。
【００１３】
また、前記複数の記憶部のうち少なくとも一つは、前記画像形成装置に入出力されるデータを電子ファイル化した文書ファイルの記憶領域である文書ボックスに関する情報を記憶する文書ボックス情報記憶部であり、前記文書ボックス情報記憶部は、前記文書ボックスを識別するための文書ボックス名称を前記文字列情報として記憶するとともに、前記文書ボックス名称に対応付けて、前記文書ボック名称で識別される前記文書ボックスに記憶されている前記文書ファイルを識別するための文書ファイル名称を前記文字列情報として記憶することが好ましい。
【００１４】
この構成によれば、ユーザーは、検索指示受付部によって検索指示が受け付けられた場合に、キーワード表示部によって表示された１又は複数のキーワードから、所望のキーワードを選択するだけで、選択キーワードを含む文書ボックス名称及び文書ファイル名称を検索することができるとともに、当該選択キーワードを含む文書ボックス名称及び文書ファイル名称とは異なる種類の文字列情報も合わせて検索することができる。
【００１５】
また、前記複数の記憶部のうち少なくとも一つは、前記画像形成装置を利用する部門に関する情報を記憶する部門情報記憶部であり、前記部門情報記憶部は、前記部門を識別するための部門名称を前記文字列として記憶することが好ましい。
【００１６】
この構成によれば、ユーザーは、検索指示受付部によって検索指示が受け付けられた場合に、キーワード表示部によって表示された１又は複数のキーワードから、所望のキーワードを選択するだけで、選択キーワードを含む部門名称を検索することができるとともに、当該選択キーワードを含む部門名称とは異なる種類の文字列情報も合わせて検索することができる。
【発明の効果】
【００１７】
本発明によれば、記憶されている文字列情報のうち、ユーザーが所望する文字列情報を効率よく検索することができる画像形成装置を提供することが可能になる。
【図面の簡単な説明】
【００１８】
【図１】本発明に係る画像形成装置の一例である複合機の概略構造図。
【図２】操作部の一例を示す説明図。
【図３】複合機の電気的構成の一例を示すブロック図。
【図４】ユーザー情報記憶部に記憶されている情報の一例を示す説明図。
【図５】宛先情報記憶部に記憶されている情報の一例を示す説明図。
【図６】文書ボックス情報記憶部に記憶されている情報の一例を示す説明図。
【図７】部門情報記憶部に記憶されている情報の一例を示す説明図。
【図８】送信機能操作画面の一例を示す説明図。
【図９】検索キーワード入力画面の一例を示す説明図。
【図１０】キーワード選択画面の一例を示す説明図。
【図１１】検索結果一覧画面の一例を示す説明図。
【図１２】メールアドレス選択画面の一例を示す説明図。
【図１３】ファクシミリ番号選択画面の一例を示す説明図。
【図１４】検索結果一覧画面の図１１とは別の一例を示す説明図。
【図１５】文書ボックス選択画面の一例を示す説明図。
【図１６】文書ファイル一覧画面の一例を示す説明図。
【図１７】検索結果一覧画面の図１１及び図１４とは別の一例を示す説明図。
【図１８】ユーザー管理画面の一例を示す説明図。
【図１９】検索結果一覧画面の図１１、図１４及び図１７とは別の一例を示す説明図。
【図２０】部門管理画面の一例を示す説明図。
【発明を実施するための形態】
【００１９】
以下、本発明に係る実施形態を図面に基づいて説明する。図１は、本発明に係る画像形成装置の一例である複合機１の概略構造図である。
【００２０】
図１に示すように、複合機１は、原稿読取部５と、原稿給送部６と、本体部１Ａと、操作部７と、を備えている。
【００２１】
原稿読取部５は、本体部１Ａの上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００２２】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００２３】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００２４】
本体部１Ａは、複数の給紙カセット４６１と、給紙カセット４６１から用紙を１枚ずつ繰り出して画像形成部４へ搬送する給紙ローラー４１２と、給紙カセット４６１から搬出されてきた用紙に画像を形成する画像形成部４と、画像が形成された用紙が排出されるスタックトレイ４７及び排出トレイ４８と、を備えている。
【００２５】
画像形成部４は、用紙搬送部４１と、光走査装置４２と、感光体ドラム４３と、現像部４４と、転写部４５と、定着部４６と、を備えている。
【００２６】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００２７】
光走査装置４２は、制御部１０に入力された画像データに基づいてレーザー光を出力し、このレーザー光によって感光体ドラム４３を走査することで、感光体ドラム４３上に静電潜像を形成する。
【００２８】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００２９】
操作部７は、複合機１の正面部に設けられ、ユーザーによる種々の操作指示を入力可能に構成されている。図２は、操作部７の一例を示す説明図である。図２に示すように、操作部７には、タッチパネル装置７１、インジケーター７２ａ〜７２ｆ、入力キー７３ａ〜７３ｄ、スイッチ７４ａ〜７４ｑが設けられている。
【００３０】
タッチパネル装置７１は、タッチパネル機能を有する液晶ディスプレイＰを備えている。このタッチパネル機能によって、液晶ディスプレイＰに表示されたソフトキーがユーザーによって触れられたときにはそのソフトキーの押下操作の指示が入力される。
【００３１】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯または点滅する。インジケーター７２ｆは複合機１に電源が投入されているときに点灯する。
【００３２】
入力キー７３ａ〜７３ｄは、数字や記号を入力したり、入力済みの文字列を消去または確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００３３】
スイッチ７４ａ〜７４ｑは、複合機１に備えられた各種機能を切り替えたり、各種機能の動作を開始及び停止させるスイッチである。例えば、代表的なものとして、スイッチ７４ｋは、スキャナー部５１で読み取られた画像データを後述の通信部９を介して外部に送信する送信機能に切り替え、送信機能用の操作画面を液晶ディスプレイＰに表示するスイッチである。スイッチ７４ｍは、各種機能の動作を開始するスタートスイッチである。スイッチ７４ｎは、各種機能の動作を停止するストップスイッチである。スイッチ７４ｏは、各種機能の動作条件の設定値を初期状態に戻すリセットスイッチである。
【００３４】
また、スイッチ７４ｑは、後述する複数の記憶部８１〜８４に記憶されている複数の種類の文字列情報を検索する全体検索機能に切り替え、全体検索機能用の操作画面を液晶ディスプレイＰに表示するスイッチである。
【００３５】
図３は、複合機１の電気的構成の一例を示すブロック図である。複合機１は、上記原稿読取部５、上記原稿給送部６、上記画像形成部４、上記操作部７、通信部９、４つの記憶部８１〜８４、及び制御部１０等の各機能部が相互に通信可能なように接続されている。原稿読取部５、原稿給送部６、画像形成部４、及び操作部７に関しては、既に説明したので説明を省略する。
【００３６】
通信部９は、ファクシミリ通信部９１及びネットワークＩ／Ｆ部９３を備えている。ファクシミリ通信部９１は、電話回線９５に接続されている。ファクシミリ通信部９１は、相手先ファクシミリとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを電話回線９５を介して他のファクシミリ装置へ送信したり、他のファクシミリ装置から送信されてきた画像データを受信する。
【００３７】
ネットワークＩ／Ｆ部９３は、ＬＡＮ（Local Area Network）９７に接続されている。ネットワークＩ／Ｆ部９３はＬＡＮ９７に接続されたパソコン等の端末装置との間で通信を実行するための通信インターフェイス回路である。ネットワークＩ／Ｆ部９３は、原稿読取部５によって読み取られた画像データを、ＬＡＮ９７を介してパーソナルコンピュータ等の外部のコンピューターへ送信したり、外部のコンピューターから送信されてきた画像データを受信する。
【００３８】
４つの記憶部８１〜８４は、例えば、ＨＤＤ（Hard Disk Drive）等の記憶媒体で構成されており、記憶する情報の種類に応じてそれぞれ分類されている。
【００３９】
ユーザー情報記憶部８１には、複合機１を利用するユーザーに関わる情報が記憶されている。例えば、ユーザー情報記憶部８１には、ユーザーを識別するための文字列情報としてユーザー名称（識別情報）が記憶され、ユーザー名称と対応付けて、複合機１にログインするときに用いるパスワード及びユーザーが所属する所属部門の名称（以下、所属部門名称と示す）等の文字列情報、並びに、全文検索機能の実行時に用いる１又は複数のキーワードが記憶されている。尚、全文検索機能の実行時に用いる１又は複数のキーワードは、後述するように、ユーザーによって編集操作可能になっている。
【００４０】
図４は、ユーザー情報記憶部８１に記憶されている情報の一例を示す説明図である。図４に示すように、ユーザー情報記憶部８１には、例えば、ユーザー名称「ｕｓｅｒＡ」と対応付けて、パスワード「＊＊＊＊＊＊＊＊」、所属部門名称「ＸＸ部ＸＸ課」、３つの検索用のキーワード「０６」、「ＡＡＡ」、及び「ＢＡ」が記憶されている。尚、ユーザー情報記憶部８１に記憶されている情報をこれに限定する趣旨ではない。
【００４１】
宛先情報記憶部８２は、送信機能の実行時に、スキャナー部５１で読み取った画像データ等の複合機１からの出力データを送信するときの宛先の情報を記憶する所謂アドレス帳である。例えば、宛先情報記憶部８２には、出力データの送信先を識別するための文字列情報として送信先名称が記憶され、送信先名称に対応付けてメールアドレス及びファクシミリ番号等の文字列情報が記憶されている。
【００４２】
図５は、宛先情報記憶部８２に記憶されている情報の一例を示す説明図である。図５に示すように、宛先情報記憶部８２には、例えば、送信先名称「ＡＡＡ株式会社」と対応付けて、メールアドレス「＊＊＊＊＠ＡＡＡ．ｃｏ．ｊｐ」及びファクシミリ番号「０６−＃＃＃＃−＃＃＃＃」が記憶されている。尚、宛先情報記憶部８２に記憶されている情報をこれに限定する趣旨ではない。
【００４３】
文書ボックス情報記憶部８３には、外部から受信した画像データや複合機１から出力した画像データ等、複合機１の入出力データを電子ファイル化した文書ファイルを記憶する領域である文書ボックスに関わる情報が記憶されている。例えば、文書ボックス情報記憶部８３には、文書ボックスを識別するための文字列情報として文書ボックス名称が記憶され、文書ボックス名称と対応付けて、当該文書ボックス名称で識別される文書ボックスを所有するユーザーを識別するためのボックス所有者名称及び当該文書ボックスに記憶されている文書ファイルを識別するための文書ファイル名称等の文字列情報が記憶されている。
【００４４】
図６は、文書ボックス情報記憶部８３に記憶されている情報の一例を示す説明図である。図６に示すように、文書ボックス情報記憶部８３には、例えば、文書ボックス名称「ボックスＢＡ」と対応付けて、ボックス所有者名称「ｕｓｅｒＡ」及び３つの文書ファイル名称「ファイルＢＡ１」、「ファイルＢＡ２」、及び「ファイルＢＡ３」が記憶されている。尚、文書ボックス情報記憶部８３に記憶されている情報をこれに限定する趣旨ではない。
【００４５】
部門情報記憶部８４には、複合機１を利用する部門に関する情報が記憶されている。例えば、部門情報記憶部８４には、部門を識別するための文字列情報として部門名称が記憶され、部門名称と対応付けて、当該部門名称をコードによって識別するための部門コード等の文字列情報が記憶されている。図７は、部門情報記憶部８４に記憶されている情報の一例を示す説明図である。図７に示すように、部門情報記憶部８４には、例えば、部門名称「ＸＸ部ＸＸ課」と対応付けて、部門コード「００００１０００」が記憶されている。尚、部門情報記憶部８４に記憶されている情報をこれに限定する趣旨ではない。
【００４６】
図３に戻り、制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって各種処理を実行し、複合機１内の各部の動作を制御する。
【００４７】
制御部１０は、全体検索機能の実行に関して、特に、識別情報取得部１１、検索指示受付部１２、キーワード表示部１３、選択キーワード取得部１４、検索実行部１５、選択文字列情報取得部１６、及び選択画面表示部１７として機能する。
【００４８】
識別情報取得部１１は、ユーザーを識別するためのユーザー名称を取得する。具体的には、識別情報取得部１１は、液晶ディスプレイＰに表示されたログイン画面（図略）に、ユーザーによって入力されたユーザー名称とパスワードの組み合わせが、ユーザー情報記憶部８１に記憶されている情報に一致するか否かを判断する所謂ログイン認証を行って、一致すると判断した場合にそのユーザー名称をＲＡＭ等のメモリーに記憶することによって、ユーザー名称を取得する。
【００４９】
尚、識別情報取得部１１がユーザー名称を取得する方法は、これに限らず、例えば所謂ユーザー認証を行うことなく、液晶ディスプレイＰに表示されたユーザー名称の入力用画面（図略）に、ユーザーによって入力されたユーザー名称をそのままＲＡＭ等のメモリーに記憶することによって、ユーザー名称を取得するように構成してもよい。
【００５０】
検索指示受付部１２は、記憶部８１〜８４に記憶されている文字列情報に対する検索指示を受け付ける。図８は、送信機能操作画面の一例を示す説明図である。図９は、検索キーワード入力画面の一例を示す説明図である。例えば、ユーザーによって操作部７のスイッチ７４ｋが押下されると、制御部１０は、例えば図８に示すような送信機能用の操作画面を液晶ディスプレイＰに表示する。そして、ユーザーによって液晶ディスプレイＰに表示されたソフトキーＳＫ１がタッチ操作されたときに、検索指示受付部１２は、記憶部８１〜８４に記憶されている文字列情報に対する検索指示を受け付け、全体検索機能用の操作画面として、例えば図９に示すような検索キーワード入力画面を液晶ディスプレイＰに表示する。または、例えば、ユーザーによって操作部７のスイッチ７４ｑが押下されたときにも、検索指示受付部１２は、記憶部８１〜８４に記憶されている文字列情報に対する検索指示を受け付け、上記の検索キーワード入力画面を液晶ディスプレイＰに表示する。
【００５１】
キーワード表示部１３は、検索指示受付部１２によって検索指示が受け付けられたとき、識別情報取得部１１によって取得された識別情報と対応付けてユーザー情報記憶部８１に記憶されている１又は複数のキーワードを選択可能に液晶ディスプレイＰに表示する。
【００５２】
図１０は、キーワード選択画面の一例を示す説明図である。例えば、検索指示受付部１２によって検索指示が受け付けられたときに液晶ディスプレイＰに表示された検索キーワード入力画面（図９）のソフトキーＳＫ３がユーザーによってタッチ操作されたときに、キーワード表示部１３は、例えば図１０に示すような検索キーワード選択画面を液晶ディスプレイＰに表示する。キーワード表示部１３は、検索キーワード選択画面に設けられた検索キーワード表示領域ＳＡ１に、当該ユーザーのユーザー名称に対応付けられた１又は複数のキーワードをユーザー情報記憶部８１から読み出して表示する。
【００５３】
例えば、ユーザー情報記憶部８１に図４に示すように情報が記憶されている場合に、ユーザー名称「ｕｓｅｒＡ」のユーザーによって検索キーワード入力画面（図９）のソフトキーＳＫ３がタッチ操作されたときは、キーワード表示部１３は、検索キーワード表示領域ＳＡ１に、ユーザー名称「ｕｓｅｒＡ」に対応付けられた、３つの検索用のキーワード「０６」、「ＡＡＡ」、及び「ＢＡ」を表示する。
【００５４】
選択キーワード取得部１４は、キーワード表示部１３によって表示された１又は複数のキーワードのうち、ユーザーによって選択されたキーワードを選択キーワードとして取得する。
【００５５】
例えば、キーワード表示部１３によって検索キーワード選択画面（図１０）の検索キーワード表示領域ＳＡ１に表示された１又は複数のキーワードが、ユーザーによってタッチ操作されるとタッチ操作されたキーワードが選択状態となり、反対に、選択状態のキーワードがユーザーによってタッチ操作されると選択状態が解除される。そして、キーワードの選択が終了した後、ユーザーによってソフトキーＳＫ３がタッチ操作されたときに、選択キーワード取得部１４は、選択状態となっているキーワードをＲＡＭ等のメモリーに記憶することによって、当該キーワードを選択キーワードとして取得する。尚、取得された選択キーワードは、制御部１０によって、検索キーワード入力画面（図９）に設けられた検索キーワードの入力領域ＤＡ１に表示される。
【００５６】
また、選択キーワード取得部１４が選択キーワードを取得する方法は、これに限らず、例えば、検索キーワード表示領域ＳＡ１に表示された１又は複数のキーワードのうちの何れか一つのキーワードがタッチ操作された時点で、当該タッチ操作されたキーワードをそのままＲＡＭ等のメモリーに記憶することによって、当該タッチ操作された一つのキーワードだけを選択キーワードとして取得するように構成してもよい。
【００５７】
検索実行部１５は、選択キーワード取得部１４により選択キーワードが取得されたとき、記憶部８１〜８４を検索対象とし、記憶部８１〜８４に記憶された複数の文字列情報のうち、選択キーワード取得部１４によって選択キーワードを含む文字列情報を検索し、検索結果を液晶ディスプレイＰに表示する。尚、検索実行部１５による、選択キーワードを含む文字列情報の検索方法は公知の技術を用いて実現されるものであり、本発明の趣旨ではないため説明を省略する。
【００５８】
図１１は、検索結果一覧画面の一例を示す説明図である。例えば、検索キーワード入力画面（図９）のソフトキーＳＫ２が押下されると、検索実行部１５は、検索キーワード入力画面（図９）のソフトキーボードＳＫＥＹ及び入力キー７３ａ〜７３ｄ（図２）を用いて検索キーワード入力画面の検索キーワードの入力領域ＤＡ１に入力された検索キーワード、又は、検索キーワード選択画面（図１０）を用いて選択キーワード取得部１４によって取得された選択キーワードが制御部１０によって入力領域ＤＡ１に表示された検索キーワードを用いて、記憶部８１〜８４に記憶された複数の文字列情報のうち、当該検索キーワードを含む文字列情報を検索し、検索結果の文字列情報を例えば図１１に示すような検索結果一覧画面の結果表示領域ＳＡ２に一覧表示する。
【００５９】
尚、図１１は、例えば、ユーザー情報記憶部８１に図４に示すように情報が記憶されている場合に、ユーザー名称「ｕｓｅｒＡ」のユーザーによる操作に基づいて選択キーワードとして「ＡＡＡ」が取得され、検索実行部１５によって当該選択キーワード「ＡＡＡ」を用いて検索が行なわれた結果の文字列情報の一覧が検索結果一覧画面の結果表示領域ＳＡ２に表示されている態様を示している。尚、結果表示領域ＳＡ２には、検索キーワードを含む文字列情報が当該文字列情報の種類を示す情報と組み合わせて表示されている。
【００６０】
選択文字列情報取得部１６は、検索実行部１５による文字列情報の検索結果のうち、ユーザーによって選択された文字列情報を選択文字列情報として取得する。例えば、選択文字列情報取得部１６は、検索結果一覧画面（図１１）の結果表示領域ＳＡ２に一覧表示された検索結果の文字列情報のうち、何れか一つの文字列情報がユーザーによってタッチ操作された時点で、当該タッチ操作された文字列情報をＲＡＭ等のメモリーに記憶することによって、当該タッチ操作された文字列情報を選択文字列情報として取得する。
【００６１】
選択文字列情報表示部１７は、選択文字列情報取得部１６によって取得された選択文字列情報を再利用する状態で表示した操作画面を液晶ディスプレイＰに表示する。
【００６２】
図１２は、メールアドレス選択画面の一例を示す説明図である。図１３は、ファクシミリ番号選択画面の一例を示す説明図である。例えば、宛先情報記憶部８２に図５に示すように情報が記憶されている場合に、検索キーワードを「ＡＡＡ」として検索実行部１５によって検索が実行され、検索結果一覧画面（図１１）の結果表示領域ＳＡ２に一覧表示された検索結果の文字列情報のうち、メールアドレス「＊＊＊＊＠ＡＡＡ．ｃｏ．ｊｐ」が選択文字列情報として選択文字列情報取得部１６によって取得されたものとする。
【００６３】
このとき、選択文字列情報表示部１７は、例えば図１２に示すように、液晶ディスプレイＰにメールアドレス選択画面を表示する。尚、選択文字列情報表示部１７は、メールアドレス選択画面において、選択文字列情報としてのメールアドレス「＊＊＊＊＠ＡＡＡ．ｃｏ．ｊｐ」を選択した状態、つまり、選択文字列情報を再利用する状態で表示する。
【００６４】
または、例えば、宛先情報記憶部８２に図５に示すように情報が記憶されている場合に、検索キーワードを「０６」として検索実行部１５によって検索が実行され、当該検索結果の文字列情報のうちのファクシミリ番号「０６−＃＃＃＃−＃＃＃＃」が選択文字列情報として選択文字列情報取得部１６によって取得されたとき、選択文字列情報表示部１７は、例えば図１３に示すように、液晶ディスプレイＰにファクシミリ番号選択画面を表示する。尚、選択文字列情報表示部１７は、ファクシミリ番号選択画面において、選択文字列情報としてのファクシミリ番号「０６−＃＃＃＃−＃＃＃＃」を選択した状態、つまり、選択文字列情報を再利用する状態で表示する。
【００６５】
以下、その他の具体例について説明する。図１４は、検索結果一覧画面の図１１とは別の一例を示す説明図である。図１５は、文書ボックス選択画面の一例を示す説明図である。図１６は、文書ファイル一覧画面の一例を示す説明図である。
【００６６】
例えば、図１４は、ユーザー情報記憶部８１に図４に示すように情報が記憶され、且つ、文書ボックス情報記憶部８３に図６に示すように情報が記憶されている場合に、ユーザー名称「ｕｓｅｒＡ」のユーザーによる操作に基づいて、選択キーワード取得部１４によって選択キーワードとして「ＢＡ」が取得され、検索実行部１５によって当該選択キーワード「ＢＡ」を用いて検索が行なわれた結果の文字列情報の一覧が検索結果一覧画面の結果表示領域ＳＡ２に表示されている態様を示している。
【００６７】
そして、結果表示領域ＳＡ２に表示された文字列情報のうち、文書ボックス名称「ボックスＢＡ」が選択文字列情報として選択文字列情報取得部１６によって取得されたとき、選択文字列情報表示部１７は、例えば図１５に示すように、液晶ディスプレイＰに文書ボックス選択画面を表示する。尚、選択文字列情報表示部１７は、文書ボックス選択画面において、選択文字列情報としての文書ボックス名称「ボックスＢＡ」を選択した状態、つまり、選択文字列情報を再利用する状態で表示する。
【００６８】
または、結果表示領域ＳＡ２に表示された文字列情報のうち、文書ファイル名称「ファイルＢＡ１」が選択文字列情報として選択文字列情報取得部１６によって取得されたとき、選択文字列情報表示部１７は、例えば図１６に示すように、液晶ディスプレイＰに文書ファイル一覧画面を表示する。尚、選択文字列情報表示部１７は、文書ファイル一覧画面において、選択文字列情報としての文書ファイル名称「ファイルＢＡ１」を選択した状態、つまり、選択文字列情報を再利用する状態で表示する。
【００６９】
続いて、図１７は、検索結果一覧画面の図１１及び図１４とは別の一例を示す説明図である。図１８は、ユーザー管理画面の一例を示す説明図である。
【００７０】
例えば、図１７は、ユーザー情報記憶部８１に図４に示すように情報が記憶されている場合に、ユーザー名称「ｕｓｅｒＤ」のユーザーによる操作に基づいて、選択キーワード取得部１４によって選択キーワードとして「ｕｓｅｒ」が取得され、検索実行部１５によって当該選択キーワード「ｕｓｅｒ」を用いて検索が行なわれた結果の文字列情報の一覧が検索結果一覧画面の結果表示領域ＳＡ２に表示されている態様を示している。
【００７１】
このように、ユーザーは、検索指示受付部１２によって検索指示が受け付けられた場合に、キーワード表示部１３によって表示された１又は複数のキーワードから、所望のユーザー名称を検索可能と思われるキーワードを選択するだけで、選択キーワードを含むユーザー名称を検索することができる。
【００７２】
そして、結果表示領域ＳＡ２に表示された文字列情報のうち、ユーザー名称「ｕｓｅｒＡ」が選択文字列情報として選択文字列情報取得部１６によって取得されたとき、選択文字列情報表示部１７は、例えば図１８に示すように、ユーザー名称「ｕｓｅｒＡ」に対応付けてユーザー情報記憶部８１に記憶されている情報を編集操作するためのユーザー管理画面を液晶ディスプレイＰに表示する。ここで、ユーザー管理画面は、ユーザー情報記憶部８１に記憶されている情報をユーザー毎に編集操作するための画面である。つまり、選択文字列情報表示部１７は、選択文字列情報としてのユーザー名称「ｕｓｅｒＡ」に対応付けてユーザー情報記憶部８１に記憶されている情報を編集可能なユーザー管理画面を表示することによって、選択文字列情報を再利用する状態で表示する。
【００７３】
また、ユーザー管理画面のソフトキーＳＫ４がユーザーによってタッチ操作されると、制御部１０は、図９に示すような検索キーワード入力画面を液晶ディスプレイＰに表示する。そして、ユーザーによって、当該表示された検索キーワード入力画面（図９）のソフトキーボードＳＫＥＹ及び入力キー７３ａ〜７３ｄ（図２）を用いて、検索キーワード入力画面の検索キーワードの入力領域ＤＡ１に１又は複数のキーワードが入力される。尚、例えばカンマ（，）やスペース等の所定の区切り文字を用いることによって、複数のキーワードを入力することができる。
【００７４】
ユーザーによって、入力領域ＤＡ１に１又は複数のキーワードが入力された後、ソフトキーＳＫ２がタッチ操作されると、制御部１０は、当該入力領域ＤＡ１に編集入力されたキーワードを、当該ユーザー管理画面の編集対象のユーザーの識別情報に対応付けてユーザー情報記憶部８１に記憶する。このようにして、ユーザー情報記憶部８１に記憶される１又は複数のキーワードは、ユーザーによって編集操作可能になっている。
【００７５】
続いて、図１９は、検索結果一覧画面の図１１、図１４及び図１７とは別の一例を示す説明図である。図２０は、部門管理画面の一例を示す説明図である。
【００７６】
例えば、図１９は、ユーザー情報記憶部８１に図４に示すように情報が記憶され、且つ、部門情報記憶部８４に図７に示すように情報が記憶されている場合に、ユーザー名称「ｕｓｅｒＤ」のユーザーによる操作に基づいて、選択キーワード取得部１４によって選択キーワードとして「ＸＸ」が取得され、検索実行部１５によって当該選択キーワード「ＸＸ」を用いて検索が行なわれた結果の文字列情報の一覧が検索結果一覧画面の結果表示領域ＳＡ２に表示されている態様を示している。
【００７７】
そして、結果表示領域ＳＡ２に表示された文字列情報のうち、部門名称「ＸＸ部ＸＸ課」が選択文字列情報として選択文字列情報取得部１６によって取得されたとき、選択文字列情報表示部１７は、例えば図２０に示すように、部門名称「ＸＸ部ＸＸ課」に対応付けて部門情報記憶部８４に記憶されている情報を編集操作するための部門管理画面を液晶ディスプレイＰに表示する。ここで、部門管理画面は、部門情報記憶部８４に記憶されている情報を部門毎に編集操作するための画面である。つまり、選択文字列情報表示部１７は、選択文字列情報としての部門名称「ＸＸ部ＸＸ課」に対応付けて部門情報記憶部８４に記憶されている情報を編集可能な部門管理画面を表示することによって、選択文字列情報を再利用する状態で表示する。
【００７８】
このように、上記実施形態の構成によれば、ユーザーは、ユーザー情報記憶部８１に記憶されている、当該ユーザーの識別情報に対応付けられた１又は複数の検索キーワードを用いて、記憶部８１〜８４に記憶された文字列情報を検索することができる。このため、ユーザーが検索する場合に頻繁に利用する検索キーワードには、そのユーザー独自の何かしらの法則があると考えられるので、その法則に適した１又は複数の検索キーワードをユーザーによる編集操作によって、当該ユーザーの識別情報に対応付けてユーザー情報記憶部８１に記憶しておくことによって、ユーザーは当該記憶しておいた検索キーワードを用いて、効率よく所望の文字列情報を検索することができる。
【００７９】
また、上記実施形態の構成によれば、検索実行部１５による文字列情報の検索結果のうち、ユーザーによって選択された文字列情報が選択文字列情報として選択文字列情報取得部１６によって取得されると、選択文字列情報表示部１７によって、当該選択文字列情報を再利用する状態で表示した操作画面が液晶ディスプレイＰに表示されるため、ユーザーは、検索結果を迅速に再利用することができる。
【００８０】
また、上記実施形態の構成によれば、ユーザーは、検索指示受付部１２によって検索指示が受け付けられた場合に、キーワード表示部１３によって表示された１又は複数のキーワードから所望のキーワードを選択するだけで、複数の記憶部８１〜８４を検索対象として、複数の記憶部８１〜８４にそれぞれ記憶された複数の文字列情報のうち、選択したキーワードを含む文字列情報を検索することができる。このため、各記憶部に記憶されている文字列情報をそれぞれ個別に検索するのにかかる手間が軽減される。
【００８１】
また、上記実施形態の構成によれば、ユーザーは、検索指示受付部１２によって検索指示が受け付けられた場合に、キーワード表示部１３によって表示された１又は複数のキーワードから、所望のキーワードを選択するだけで、選択キーワードを含む送信先名称並びにメールアドレス及びファクシミリ番号のうちの少なくとも一つを検索することができるとともに、当該選択キーワードを含む送信先名称並びにメールアドレス及びファクシミリ番号のうちの少なくとも一つとは異なる種類の文字列情報も合わせて検索することができる。
【００８２】
また、上記実施形態の構成によれば、ユーザーは、検索指示受付部１２によって検索指示が受け付けられた場合に、キーワード表示部１３によって表示された１又は複数のキーワードから、所望のキーワードを選択するだけで、選択キーワードを含む文書ボックス名称及び文書ファイル名称を検索することができるとともに、当該選択キーワードを含む文書ボックス名称及び文書ファイル名称とは異なる種類の文字列情報も合わせて検索することができる。
【００８３】
また、上記実施形態の構成によれば、ユーザーは、検索指示受付部１２によって検索指示が受け付けられた場合に、キーワード表示部１３によって表示された１又は複数のキーワードから、所望のキーワードを選択するだけで、選択キーワードを含む部門名称を検索することができるとともに、当該選択キーワードを含む部門名称とは異なる種類の文字列情報も合わせて検索することができる。
【００８４】
尚、本発明は上記実施の形態の構成に限られず種々の変形が可能である。例えば、上記実施形態では、本発明に係る画像形成装置を複合機１に適用する例について説明したが、これに限らず、スキャナー装置、ファクシミリ装置、プリンター装置及びコピー装置に適用してもよい。
【００８５】
また、上記実施形態において図１乃至図２０に示した構成は単なる一例に過ぎず、本発明を当該実施形態に限定する趣旨ではない。
【００８６】
例えば、制御部１０が、選択文字列情報取得部１６及び選択文字列情報表示部１７として機能しないように構成してもよい。これに合わせて、例えば、検索実行部１５は、検索結果の文字列情報を通信部９を介して外部に送信する、又は、検索結果の文字列情報で構成されたテキストファイルを作成し、ユーザーが所有する文書ボックス等の所定の記憶部に記憶する構成にしてもよい。
【００８７】
また、部門情報記憶部８４を備えないように構成してもよい。
【００８８】
また、文書ボックス情報記憶部８３を備えないように構成してもよい。
【００８９】
また、ファクシミリによってデータを送信する機能を備えていない画像形成装置に上記構成を適用する場合等には、宛先情報記憶部８２は、ファクシミリ番号を文字列情報として記憶しない構成であってもよい。
【００９０】
また、メールによってデータを送信する機能を備えていない画像形成装置に上記構成を適用する場合等には、宛先情報記憶部８２は、メールアドレスを文字列情報として記憶しない構成であってもよい。
【００９１】
また、通信部９を備えておらず、データを外部に送信する機能を備えていない画像形成装置に上記構成を適用する場合等には、宛先情報記憶部８２を備えないように構成してもよい。
【００９２】
また、ユーザー情報記憶部８１は、全文検索機能の実行時に用いる１又は複数のキーワードのみをユーザー名称と対応付けて記憶する構成にしてもよい。
【符号の説明】
【００９３】
１              複合機（画像形成装置）
１０            制御部
１１            識別情報取得部
１２            検索指示受付部
１３            キーワード表示部
１４            選択キーワード取得部
１５            検索実行部
１６            選択文字列情報取得部
１７            選択画面表示部
４              画像形成部
５              原稿読取部
５１            スキャナー部
６              原稿給送部
７              操作部
７１            タッチパネル装置
７２ａ〜７２ｆ  インジケーター
７３ａ〜７３ｄ  入力キー
７４ａ〜７４ｑ  スイッチ
８              記憶部
８１            ユーザー情報記憶部
８２            宛先情報記憶部
８３            文書ボックス情報記憶部
８４            部門情報記憶部
９              通信部
９１            ファクシミリ通信部
９３            ネットワークＩ／Ｆ部
９５            電話回線
９７            ＬＡＮ
ＤＡ１          入力領域
ＳＡ１          検索キーワード表示領域
ＳＡ２          結果表示領域
ＳＫ１〜３      ソフトキー
Ｐ              液晶ディスプレイ
【図１】
2013218634.tif 000003
【図２】
2013218634.tif 000004
【図３】
2013218634.tif 000005
【図４】
2013218634.tif 000006
【図５】
2013218634.tif 000007
【図６】
2013218634.tif 000008
【図７】
2013218634.tif 000009
【図８】
2013218634.tif 000010
【図９】
2013218634.tif 000011
【図１０】
2013218634.tif 000012
【図１１】
2013218634.tif 000013
【図１２】
2013218634.tif 000014
【図１３】
2013218634.tif 000015
【図１４】
2013218634.tif 000016
【図１５】
2013218634.tif 000017
【図１６】
2013218634.tif 000018
【図１７】
2013218634.tif 000019
【図１８】
2013218634.tif 000020
【図１９】
2013218634.tif 000021
【図２０】
2013218634.tif 000022